(57)【要約】【課題】本発明の目的は、加湿性能を向上させることができる除加湿装置を提供することである。【解決手段】除加湿装置１００は、シロッコファン５０と、加湿部材４１と、除湿装置と、を備える。シロッコファン５０は、空気を吸い込み、空気を室内に吐き出す。加湿部材４１は、加湿運転時に供給された水を一時的に保持し、水を空気中に放出する。除湿装置は、蒸発器６１、放熱器６３及び圧縮機６７を含む冷凍サイクルユニット６０からなる。あるいは、除湿装置は、ゼオライトなどからなる吸湿部材２０１及びヒータ２０３を含む装置からなる。除湿装置の一部は加熱部となり、加湿部材４１に供給される水を加熱する。【選択図】図８
2014231927.tif 000002
【特許請求の範囲】
【請求項１】
空気を吸い込み、空気を室内に吐き出すためのファン（５０）と、
加湿運転時に供給された水を一時的に保持し、水を空気中に放出する加湿部材（４１）と、
前記加湿部材に供給される水を加熱する加熱部を含む除湿装置（６０、２００）と、
を備える除加湿装置（１００）。
【請求項２】
前記除湿装置は、除湿運転時に吸い込み空気を露点以下に冷やす蒸発器（６１）、放熱器（６３）及び圧縮機（６７）を含む冷凍サイクル装置（６０）からなり、
前記圧縮機から前記放熱器に流れる冷媒の熱によって、前記加湿部材に供給する水を加熱する、請求項１に記載の除加湿装置。
【請求項３】
前記加湿部材に水を供給する貯留ケース（４３）をさらに備え、
前記圧縮機から前記放熱器に流れる冷媒の熱によって、前記貯留ケース内の水を加熱する、請求項２に記載の除加湿装置。
【請求項４】
水を貯水するための貯水部（８１）と、
前記貯水部から前記加湿部材に向かって延びる吸水管（１３１）と、
をさらに備え、
前記圧縮機から前記放熱器に流れる冷媒の熱によって前記吸水管内の水を加熱する、請求項２に記載の除加湿装置。
【請求項５】
前記圧縮機から前記放熱器に延びる吐出管（１２０ａ）の少なくとも一部が、前記吸水管と接触している、請求項４に記載の除加湿装置。
【請求項６】
前記放熱器を通過した空気が前記加湿部材を通過するように、前記放熱器及び前記加湿部材が配置されている、請求項１〜５のいずれかに記載の除加湿装置。
【発明の詳細な説明】
【技術分野】
【０００１】
本発明は、除加湿装置に関する。
【背景技術】
【０００２】
特許文献１（特開２００３−２９４２７７号公報）には、ヒータ加熱式と気化式とを併用した加湿器が開示されている。特許文献１の加湿器は、主に、送風装置と、水槽と、回転式の加湿フィルタと、ヒータとを備えている。外部から水を供給するための水タンクから水槽内に水が供給され、水槽内に水が貯留される。加湿フィルタは水槽内に一部が浸漬しており、回転により加湿フィルタ全体に水が行き渡る。ヒータは送風装置からの風を加熱して温風を生成し、加湿フィルタに供給する。加湿フィルタに吸湿された水は、温風により気化され、加湿空気となって加湿器外部に放出される。このように特許文献１は加湿器においてより効率的に加湿する構成を開示している。
【発明の概要】
【発明が解決しようとする課題】
【０００３】
近年、除湿及び加湿の両機能を備える除加湿装置が開発されている。しかし、このような除加湿装置において、加湿性能を向上させる構成については提案されていない。
【０００４】
そこで、本発明の目的は、加湿性能を向上させることができる除加湿装置を提供することである。
【課題を解決するための手段】
【０００５】
本発明の第１観点に係る除加湿装置は、ファンと、加湿部材と、除湿装置と、を備える。ファンは、空気を吸い込み、空気を室内に吐き出す。加湿部材は、加湿運転時に供給された水を一時的に保持し、水を空気中に放出する。除湿装置は、加湿部材に供給される水を加熱する加熱部を含む。
【０００６】
これにより、加熱した水を加湿部材に供給すると加湿部材から水が蒸発し易くなり、加湿能力を向上させることができる。
【０００７】
本発明の第２観点に係る除加湿装置は、第１観点に係る除加湿装置において、除湿装置は、蒸発器、放熱器及び圧縮機を含む冷凍サイクル装置からなる。蒸発器は、除湿運転時に吸い込み空気を露点以下に冷やす。また、圧縮機から放熱器に流れる冷媒の熱によって、加湿部材に供給する水を加熱する。
【０００８】
これにより、蒸発器、放熱器及び圧縮機を含む冷凍サイクル装置によって水を加熱し、加熱された水を加湿部材に供給することができる。
【０００９】
本発明の第３観点に係る除加湿装置は、第２観点に係る除加湿装置において、加湿部材に水を供給する貯留ケースをさらに備える。また、圧縮機から放熱器に流れる冷媒の熱によって、貯留ケース内の水を加熱する。
【００１０】
これにより、貯留ケース内の水を圧縮機から放熱器に流れる冷媒の熱によって加熱する。よって、加湿部材は加熱された水を吸湿するため、加湿能力を向上させることができる。
【００１１】
本発明の第４観点に係る除加湿装置は、第２観点に係る除加湿装置において、貯水部と、吸水管と、をさらに備える。貯水部は水を貯水する。吸水管は貯水部から加湿部材に向かって延びる。また、圧縮機から放熱器に流れる冷媒の熱によって吸水管内の水を加熱する。
【００１２】
これにより、吸水管内の水を圧縮機から放熱器に流れる冷媒の熱によって加熱する。この加熱された水が加湿部材に供給されるため、加湿能力を向上させることができる。また、加湿に必要な分の水を効率よく加熱することができる。
【００１３】
本発明の第５観点に係る除加湿装置は、第４観点に係る除加湿装置において、圧縮機から放熱器に延びる吐出管の少なくとも一部が、吸水管と接触している。
【００１４】
これにより、吸水管内の水を吐出管内の冷媒の熱で温めることができる。
【００１５】
本発明の第６観点に係る除加湿装置は、第１〜５のいずれかの観点に係る除加湿装置において、放熱器を通過した空気が加湿部材を通過するように、放熱器及び加湿部材が配置されている。
【００１６】
これにより、放熱器では熱が放出されるため、この放出された熱により放熱器から加湿部材に向かう空気が温められる。つまり、加湿部材には温められた空気が供給される。よって、加湿部材への加熱された水の供給と、加湿部材への温められた空気の供給と、の相乗効果により加湿部材からの水の放出量が多くなり加湿能力を向上することができる。
【発明の効果】
【００１７】
本発明の第１観点に係る除加湿装置では、加湿能力を向上させることができる。
【００１８】
本発明の第２観点に係る除加湿装置では、冷凍サイクル装置によって水を加熱し、加熱された水を加湿部材に供給することができる。
【００１９】
本発明の第３〜第５観点に係る除加湿装置では、圧縮機から放熱器に延びる吐出管内を流れる冷媒の熱で、加湿部材に供給する水を加熱することができる。
【００２０】
本発明の第６観点に係る除加湿装置では、放熱器の熱により放熱器から加湿部材に向かう空気を温めることができる。
【図面の簡単な説明】
【００２１】
【図１】本発明の第１実施形態に係る除加湿装置１００の外観図である。
【図２】除加湿装置１００の分解斜視図である。
【図３】前パネル１００ｂ及び前フレーム３０を外し、除加湿装置１００を前面からみた場合の配置図である。
【図４】蒸発器６１、放熱器６３、加湿部材４１、ファンベルマウス４７ａ及びスクロールケーシング５３の配置を前面からみた場合の配置図である。
【図５】除加湿装置１００の図１におけるＩ−Ｉ切断面での側面断面図である。
【図６】冷凍サイクルユニット６０の配管系統図である。
【図７】除加湿装置１００における塵埃の除去および分解の概念を説明するための概念図である。
【図８】加湿部材４１に供給する水を加熱する第１の例の模式図である。
【図９】蒸発器６１及び放熱器６３を介して加湿部材４１に供給される空気の流れを示す模式図である。
【図１０】加湿部材４１に供給する水を加熱する第２の例の模式図である。
【図１１】冷凍サイクルユニット６０の別の配管系統図である。
【図１２】冷凍サイクルユニット６０の別の配管系統図である。
【図１３】蒸発器６１、放熱器６３及び加湿部材４１の別の配置構成を説明する模式図である。
【図１４】第２実施形態に係る除加湿装置３００の構成を示す模式図である。
【発明を実施するための形態】
【００２２】
以下、図面を参照しながら、本発明の実施形態について説明する。なお、以下の実施形態は、本発明の具体例であって、本発明の技術的範囲を限定するものではない。
【００２３】
＜第１実施形態＞
以下の説明において、上、下、左、右、正面（前）、背面（後）といった方向を示す語句を用いているが、これらの方向は、特にことわりのない限り、図１に示す方向を意味する。
【００２４】
（１）除加湿装置の概略構成
図１は、本発明の第１実施形態に係る除加湿装置１００の外観図である。除加湿装置１００は、内部の各種部材を含む本体１００ａと、当該本体１００ａを覆う複数のケーシング部材１００ｂ〜１００ｇと、操作パネルユニット１００ｆとから構成されている。
【００２５】
本体１００ａには、後述する放電ユニット１１、ストリーマ放電ユニット１３、フィルタユニット２０、加湿ユニット４０、シロッコファン５０、冷凍サイクルユニット６０等が収納されている。
【００２６】
本体１００ａの正面は、ケーシング部材の１つである合成樹脂製の前パネル１００ｂに覆われている。前パネル１００ｂの下方には、前パネル１００ｂに覆われていない部分があり、当該部分に下吸込口１１１が設けられている。本体１００ａの下部には、本体１００ａの下部を覆う底フレーム１００ｇが設けられている。
【００２７】
また、本体１００ａの左側面は複数のパネルを含む側壁パネル１００ｄにより覆われている。側壁パネル１００ｄの一部には、除加湿装置１００の左側方から空気を取り込む第１側方吸込口１１３ａが縦方向に延びるように形成されている。また、図示されていないが、除加湿装置１００の反対側の右側面の一部にも同様に、除加湿装置１００の右側方から空気を取り込む第２側方吸込口１１３ｂが形成されている。
【００２８】
本体１００ａの後面及び右側面は、ケーシング部材の１つである合成樹脂製の後パネル１００ｃに覆われている。また、本体１００ａの上部は、吹出口羽根１００ｅ及び操作パネルユニット１００ｆにより覆われている。操作パネルユニット１００ｆは、プリント基板１００ｆ−１、操作パネルカバー１００ｆ−２及び操作表示蓋１００ｆ−３を含む。吹出口羽根１００ｅは図示しない駆動部により駆動され開閉動作を行う。吹出口羽根１００ｅが開くことにより吹出口１１５（図４参照）が露出される。吹出口１１５は、除加湿装置１００の上部に設けられており、除加湿装置１００内に吸い込まれた空気を外部に吹き出す。
【００２９】
（２）除加湿装置の詳細構成
図２は、除加湿装置１００の分解斜視図である。図３は、前パネル１００ｂ及び前フレーム３０を外し、除加湿装置１００を前面からみた場合の配置図である。図４は、蒸発器６１、放熱器６３、加湿部材４１、ファンベルマウス４７ａ及びスクロールケーシング５３の配置を前面からみた場合の配置図である。図５は除加湿装置１００の図１におけるＩ−Ｉ切断面での側面断面図である。
【００３０】
除加湿装置１００は、放電ユニット１１、ストリーマ放電ユニット１３、フィルタユニット２０、前フレーム３０、除湿フレーム３３、後フレーム４７、シロッコファン５０等を含む。また、除加湿装置１００は、前フレーム３０と除湿フレーム３３との間に冷凍サイクルユニット６０を含む。さらに、除加湿装置１００は、除湿フレーム３３と後フレーム４７との間に加湿ユニット４０及び水タンク７１を含む。除湿タンクユニット８０は除湿フレーム３３に取り付けられる。
【００３１】
（２−１）放電ユニット１１
放電ユニット１１は、縦長の筒状の形状をしている。放電ユニット１１は、第１放電ユニット１１ａ及び第２放電ユニット１１ｂを含む。第１放電ユニット１１ａ及び第２放電ユニット１１ｂは、それぞれ第１側方吸込口１１３ａ及び第２側方吸込口１１３ｂの近傍に設けられている。よって、第１側方吸込口１１３ａから取り込まれた空気は第１放電ユニット１１ａを通過し、第２側方吸込口１１３ｂから取り込まれた空気は第２放電ユニット１１ｂを通過する。第１放電ユニット１１ａは、正極であるタングステン製のイオン化線と、負極であるステンレス金属製の板状の電極とを含む。正極であるイオン化線に高電圧を印加すると、正極と負極電極間に電位差が生じコロナ放電が生じる。第１放電ユニット１１ａを通過する空気中の塵埃はこの放電により帯電する。第２放電ユニット１１ｂの構成は第１放電ユニット１１ａの構成と同様であるので説明を省略する。
【００３２】
（２−２）フィルタユニット２０
図２に示されているように、フィルタユニット２０は、プレフィルタ２１と集塵フィルタ２３と脱臭フィルタ２５とで構成されている。まず、プレフィルタ２１によって大きな塵埃が取り除かれる。次に、集塵フィルタ２３によって、放電ユニット１１を通過して帯電したさらに微細な塵埃が取り除かれる。さらに、集塵フィルタ２３を通過した空気は、活性炭などを含む脱臭フィルタ２５によってホルムアルデヒドや臭い成分などが分解され、或いは吸着される。
【００３３】
（２−３）前フレーム３０
前フレーム３０は、フィルタユニット２０を前面である前パネル１００ｂ側に収容し、ストリーマ放電ユニット１３を上部に収容する。また、前フレーム３０には、後述の図７で示す２つの鉛直風通路部材３３０が設けられている。除加湿装置１００の第１側方吸込口１１３ａ及び第２側方吸込口１１３ｂは、上述のとおり鉛直方向に長い開口であるが、２つの鉛直風通路部材３３０（図７参照）は第１側方吸込口１１３ａ及び第２側方吸込口１１３ｂに沿う方向に配置されている。各鉛直風通路部材３３０には、複数の放出口３３１が第１側方吸込口１１３ａ及び第２側方吸込口１１３ｂの鉛直方向に沿うように形成されている。
【００３４】
（２−４）ストリーマ放電ユニット１３
ストリーマ放電ユニット１３は、放電ストリーマ本体１３ａ及び放電ストリーマガイド部１３ｂを含む。
【００３５】
放電ストリーマ本体１３ａは、正極であるタングステン製の針状の電極と、当該針状電極の近傍に位置し、当該電極に対向する板状の電極（対向電極）とを有する。針状電極に高電圧を印加することによりプラズマ放電の一種であるストリーマ放電が発生する。当該放電発生の際に酸化分解力の高い活性種が生成される。
【００３６】
放電ストリーマガイド部１３ｂは、放電ストリーマ本体１３ａで生成された活性種を鉛直風通路部材３３０に導入する。
【００３７】
ストリーマ放電ユニット１３に流入する空気及び流出する空気の流れは次の通りである。シロッコファン５０から吹き出される空気のうちの一部である支流５０２（図７参照）が、ストリーマ放電ユニット１３に送られる。この支流５０２が放電ストリーマ本体１３ａを通過するときに、ストリーマ放電によって活性種が供給される。活性種の供給された支流５０２は、後述の図７で示す２つの鉛直風通路部材３３０に導入される。鉛直風通路部材３３０へ流入した活性種を含む空気は、放出口３３１を通過して複数の分流となってフィルタユニット２０のプレフィルタ２１の前に吹き出される。複数の分流は、プレフィルタ２１から吸い込まれる室内空気に合流して集塵フィルタ２３及び脱臭フィルタ２５にまで到達する。この際、活性種は、集塵フィルタ２３に吸着された塵埃や細菌などを分解して浄化する。
【００３８】
（２−５）除湿フレーム３３、後フレーム４７
除湿フレーム３３は前フレーム３０の後部に設けられている。除湿フレーム３３は、前面である前パネル１００ｂ側に、冷凍サイクルユニット６０を収容する。つまり、冷凍サイクルユニット６０は、前フレーム３０と除湿フレーム３３との間に配置されている。
【００３９】
また、除湿フレーム３３は、後面である後パネル１００ｃ側に、加湿ユニット４０及び水タンク７１を収容する。さらに、除湿フレーム３３は、除湿運転時に凝縮した水を貯水する除湿タンクユニット８０を底面に収容する。
【００４０】
後フレーム４７は、除湿フレーム３３の後部に設けられている。よって、加湿ユニット４０は除湿フレーム３３と後フレーム４７との間に配置されている。後フレーム４７は、その上部に、除加湿装置１００の駆動を制御する電装品箱９０を収容している。後フレーム４７の中央部には、ベルマウス形状のファンベルマウス４７ａが設けられている。ファンベルマウス４７ａは、後述の加湿部材４１の大きさに応じた開口を有する。加湿部材４１で加湿された空気は、ファンベルマウス４７ａの開口を介してシロッコファン５０側に送風される。
【００４１】
（２−６）シロッコファン５０
シロッコファン５０は、除加湿装置１００内に流入し除加湿装置１００外へ流出する空気流５０２（図７参照）を生成する。シロッコファン５０は、主として、ファンロータ５１と、ファンロータ５１を収容するスクロールケーシング５３と、ファンモータ５５とを含む。
【００４２】
ファンロータ５１は、ファンロータ５１の後側に配設されたファンモータ５５と接続されており、ファンモータ５５が駆動することにより回転する。ファンモータ５５が駆動すると、ファンロータ５１は、空気を回転軸が延びる方向から吸い込み、径方向に吹き出す。
【００４３】
ファンモータ５５は、その回転速度を段階的に切り換えられる。ファンモータ５５の回転速度は、最大風量モード時において最高出力に切り換えられ、最小風量モード時において最低出力に切り換えられる。
【００４４】
スクロールケーシング５３は、ファンロータ５１が収容されるスクロール湾曲部を有する合成樹脂製のケーシング部材である。スクロールケーシング５３は、後フレーム４７の背面部分に固定されている。
【００４５】
スクロールケーシング５３の正面側には、正面方向から見た面積がファンロータ５１と略同一面積の開口が形成されており、当該開口がシロッコファン５０の吸入口５０ａとして機能する。また、スクロールケーシング５３の上部には、開口が形成されており、当該開口がシロッコファン５０の排出口５０ｂとして機能する。排出口５０ｂは、吹出口１１５と接続されており、吹出口１１５が露出すると排出口５０ｂも露出するようになっている。
【００４６】
スクロールケーシング５３の内部には、空気が流れるスクロール流路５３ａおよび排出流路５３ｂが形成されている。具体的には、スクロール流路５３ａは、スクロール湾曲部においてファンロータ５１の外周面の外側に形成され、舌部から離れるにしたがって流路面積が大きくなるように形成されている。排出流路５３ｂは、スクロール流路５３ａと連通して排出口５０ｂまで延びている。よって、排出流路５３ｂへと導かれた空気は、排出口５０ｂから排出される。
【００４７】
このような態様により構成されたシロッコファン５０が駆動されると、室内の空気は、下吸込口１１１及び側方吸込口１１３から除加湿装置１００内に取り込まれ、吹出口１１５から吹き出されて室内へと返される。
【００４８】
（２−７）冷凍サイクルユニット６０
次に、図２及び図６を用いて冷凍サイクルユニット６０を説明する。図６は、冷凍サイクルユニット６０の配管系統図である。
【００４９】
冷凍サイクルユニット６０は、図２に示すように、主として、蒸発器６１、放熱器６３、キャピラリチューブ６５及び圧縮機６７を含む。蒸発器６１、放熱器６３、キャピラリチューブ６５及び圧縮機６７の駆動が主となって冷凍サイクルが機能する。さらに、冷凍サイクルユニット６０は、図６に示すように圧縮機アキュムレータ６９、吐出管サーミスタ６２及び凍結防止サーミスタ６４を含む。
【００５０】
蒸発器６１、放熱器６３、キャピラリチューブ６５及び圧縮機６７は、図６に示すように冷媒配管１２０で接続されている。蒸発器６１、放熱器６３、キャピラリチューブ６５、圧縮機６７及び冷媒配管１２０内には冷媒が循環している。冷媒配管１２０は、圧縮機６７と放熱器６３とを接続する冷媒配管１２０ａと、放熱器６３と蒸発器６１とを接続する冷媒配管１２０ｂと、蒸発器６１と圧縮機６７とを接続する冷媒配管１２０ｃとを有する。
【００５１】
圧縮機６７は冷媒を圧縮する。圧縮された冷媒は、冷媒配管１２０ａを通じて放熱器６３に供給される。放熱器６３は冷媒を凝縮して液化する。このとき、放熱器６３は、放熱器６３周囲に熱を放熱する。放熱器６３を通過して液化された冷媒は、冷媒配管１２０ｂに設けられたキャピラリチューブ６５を通過することによって膨張し、低温低圧の冷媒となる。その後、低温低圧の冷媒は冷媒配管１２０ｂを介して蒸発器６１に導入される。蒸発器６１は冷媒を蒸発させ、蒸発器６１周囲の熱を吸熱して空気中の水分を凝縮する。つまり、蒸発器６１は、除湿運転時に空気を露点以下に冷やす。その後、蒸発器６１を通過して気化された冷媒は、冷媒配管１２０ｃ及び圧縮機アキュムレータ６９を介して圧縮機６７に戻る。冷媒としては、例えば、Ｒ１３４ａ、ＣＯ2など様々な冷媒を適用可能である。
【００５２】
なお、以下において、圧縮機６７から放熱器６３に至る冷媒配管１２０ａを特に吐出管１２０ａと称する。
【００５３】
圧縮機アキュムレータ６９は、蒸発器６１で気化されなかった冷媒が液状のまま圧縮機６７に混入されるのを防止するための部材である。吐出管サーミスタ６２は吐出管１２０ａの温度を測定するための部材である。凍結防止サーミスタ６４は蒸発器６１の温度を測定するための部材である。
【００５４】
蒸発器６１、放熱器６３及び圧縮機６７を含む冷凍サイクルユニット６０が除湿運転時に駆動することで、除湿装置として機能する。本実施形態では、この除湿装置である冷凍サイクルユニット６０を、加湿運転時に利用することで加湿能力を向上させる。この点については後で詳述する。
【００５５】
図３〜図５に示すように、空気流れの上流側から下流側に沿って、蒸発器６１、放熱器６３、加湿部材４１、ファンベルマウス４７ａ、ファンロータ５１及びファンモータ５５の順に配置されている。ファンロータ５１及びファンモータ５５を含むシロッコファン５０は、室内の空気を除加湿装置１００内部に取り込み、取り込んだ空気を除加湿装置１００の上部に導く。
【００５６】
本実施形態では、蒸発器６１の正面方向の面積は放熱器６３よりも小さく形成されている。そのため、蒸発器６１と放熱器６３とは前面側から見て一部分において重畳していない。具体的には、放熱器６３は蒸発器６１よりも上下方向の高さが大きい。よって、蒸発器６１及び放熱器６３を下部において概ね揃えて配置した場合に、蒸発器６１は放熱器６３の下部において重畳しているが、放熱器６３の上部において重畳していない。
【００５７】
加湿部材４１は、図３〜図５等に示すように放熱器６３の後ろに配置されている。図３〜図５等に示すように、蒸発器６１、放熱器６３及び加湿部材４１が順に配置されることで、蒸発器６１及び放熱器６３を通過した空気と、放熱器６３上部のみを通過した空気とが加湿部材４１に供給される。また、放熱器６３及び放熱器６３と加湿部材４１とが重畳していない場合は、蒸発器６１及び放熱器６３を通過していない空気が加湿部材４１に供給される。
【００５８】
（２−８）加湿ユニット４０、水タンク７１
図２に示すように、加湿ユニット４０は、加湿部材４１及び貯留ケース４３を含む。加湿部材４１は、例えばリング状フレーム４１ａに気化フィルタ４１ｂが取り付けられた構造を有する。加湿運転時に、加湿部材４１の気化フィルタ４１ｂから水が気化することで加湿が行われる。加湿部材４１はモータによって回転される。加湿部材４１の回転に連れて、リング状フレームに取り付けられたひしゃく状の部品により水がくみあげられ、回転に伴い乾いた気化フィルタに供給される。また、気化フィルタ４１ｂへの給水を補助するために、リング状フレーム４１ａの穴を通ってリング状フレーム４１ａの内周の気化フィルタ４１ｂに水を供給することができるよう構成されている。水タンク７１は、貯留ケース４３に水を供給するためのタンクである。
【００５９】
脱臭フィルタ２５を通過した空気は、加湿ユニット４０の加湿部材４１を通過する。加湿部材４１を空気が通過する際に、加湿部材４１から空気中に水分が放出される。
【００６０】
後で詳述するが、加湿部材４１に供給される水は、圧縮機６７から放熱器６３に至る吐出管１２０ａの熱によって温められる。
【００６１】
（２−９）除湿タンクユニット８０
図２に示すように、除湿タンクユニット８０は、除湿タンク８１及び蓋部８３を含む。除湿タンク８１は蒸発器６１で凝縮された水を貯める。除湿タンク８１は蓋部８３によりその上部が覆われる。蓋部８３の概ね中央部には開口８３ａが設けられている。蒸発器６１により凝縮された水は蓋部８３上に集められ、開口８３ａを介して除湿タンク８１内に貯まる。
【００６２】
（３）全体の空気の流れ
図２、図７を参照しながら、除加湿装置１００の全体の空気の流れを説明する。図７は、除加湿装置１００における塵埃の除去および分解の概念を説明するための概念図である。
【００６３】
図２、図７において、シロッコファン５０によって吸込口（下吸込口１１１、第１側方吸込口１１３ａ及び第２側方吸込口１１３ｂ）から吹出口１１５に至る空気の流れ５０１が発生する。第１側方吸込口１１３ａ及び第２側方吸込口１１３ｂから吸い込まれた空気は、放電ユニット１１（第１放電ユニット１１ａ及び第２放電ユニット１１ｂ）に到達する。放電ユニット１１を通過する際に空気に含まれる塵埃等がプラス電荷に帯電する。次に空気はフィルタユニット２０に到達する。他方、下吸込口１１１から吸い込まれた空気はフィルタユニット２０に到達する。
【００６４】
フィルタユニット２０では、空気は先ず、プレフィルタ２１を通過する。その際、比較的大きなホコリや塵が、プレフィルタ２１により空気中から除去される。
【００６５】
プレフィルタ２１を通った空気は、集塵フィルタ２３を通過する。当該空気中の帯電した塵埃等は、集塵フィルタ２３に吸着される。
【００６６】
集塵フィルタ２３を通過した空気は脱臭フィルタ２５を通過し、この際に脱臭される。
【００６７】
脱臭フィルタ２５を通過した空気の一部は蒸発器６１を通過する。除湿運転時は、蒸発器６１の通過によって空気中の水分が凝縮され除湿が行われる。蒸発器６１を通過した空気は、蒸発器６１とともに冷凍サイクルの一部を構成する放熱器６３を通過する。
【００６８】
その後、当該空気は、加湿ユニット４０の加湿部材４１に到達する。加湿運転時は、空気が加湿部材４１を通過することによって、加湿部材４１に含まれた水分が空気中に放出され、加湿される。
【００６９】
フィルタユニット２０及び加湿部材４１を通過して清浄された空気は、吹出口１１５から室内へと吹き出される。また、清浄された空気の一部は、室内へと吹き出されることなく支流５０２となって、ストリーマ放電ユニット１３へ導入される。
【００７０】
ストリーマ放電ユニット１３の放電ストリーマ本体１３ａにおけるストリーマ放電により活性種が生成される。支流５０２はストリーマ放電ユニット１３を通過することにより活性種を含む空気となる。活性種を含む空気は、２つの鉛直通風路部材３３０内を通り、各鉛直通風路部材３３０に形成された複数の放出口３３１からプレフィルタ２１の前に放出される。活性種を含む空気は、吸込空気と混ざり合ってプレフィルタ２１及び集塵フィルタ２３に吸い込まれる。これらの活性種を含んだ空気は、ウィルスやカビ菌、細菌などを不活化または死滅させる。
【００７１】
（４）加湿能力を向上させるための構成
本実施形態では、加湿能力を向上させるために、加湿部材４１に供給する水を加熱する。この構成について以下に第１の例及び第２の例の２つの例を挙げて説明する。
【００７２】
（４−１）第１の例
（ａ）第１の例の構成
図８は、加湿部材４１に供給する水を加熱する第１の例の模式図である。説明を分かり易くするために除加湿装置１００の一部の構成のみ示している。
【００７３】
圧縮機６７、放熱器６３及び蒸発器６１が冷媒配管１２０を介して接続されている。具体的には、圧縮機６７と放熱器６３とは冷媒配管１２０ａを介して接続されている。この圧縮機６７から放熱器６３に延びる冷媒配管１２０ａを特に吐出管１２０ａと称する。放熱器６３と蒸発器６１とは冷媒配管１２０ｂを介して接続されている。蒸発器６１、圧縮機アキュムレータ６９及び圧縮機６７は冷媒配管１２０ｃを介して接続されている。
【００７４】
蒸発器６１により凝縮された空気中の水は蓋部８３に集められ、開口８３ａを介して除湿タンク８１内に集められる。
【００７５】
加湿部材４１は貯留ケース４３内に浸されている。加湿時には加湿部材４１の回転により貯留ケース４３内の水が加湿部材４１に供給される。
【００７６】
ここで、圧縮機６７から放熱器６３に延びる吐出管１２０ａ内には高温の冷媒が流れている。この吐出管１２０ａの一部が貯留ケース４３内に浸されている。よって、貯留ケース４３内の水は、吐出管１２０ａ内の高温の冷媒の熱によって温められる。加湿部材４１はこの温められた水を吸湿する。
【００７７】
ファンモータ５５の駆動によってシロッコファン５０が駆動すると、フィルタユニット２０を介して除加湿装置１００外部から空気が取り込まれる。取り込まれた空気は蒸発器６１及び放熱器６３を通過して加湿部材４１に供給される。その後、除加湿装置１００上部の吹出口１１５から外部に放出される。
【００７８】
上記構成によれば、加湿部材４１には加熱された水が供給される。加熱された水は加熱されていない水よりも蒸発温度に近くなる。よって、加熱した水を加湿部材４１に供給すると加湿部材４１から水が蒸発し易くなり、加湿能力を向上させることができる。なお、シロッコファン５０の駆動によって加湿部材４１には空気が通過する。空気が通過する際にも加湿部材４１に保持されている水が蒸発する。そのため、加熱された水の蒸発と、空気の通過による水の蒸発と、の相乗効果によって加湿部材４１での加湿能力がより向上する。
【００７９】
また、上記構成において、蒸発器６１、放熱器６３及び圧縮機６７を含む冷凍サイクルユニット６０は除湿装置として機能する。この除湿装置を加湿運転時に有効に利用して、加湿能力を向上させることができる。
【００８０】
また、吐出管１２０ａを貯留ケース４３内に浸すのではなく、貯留ケース４３の底面に吐出管１２０ａを這わせてもよい。このような構成によっても、吐出管１２０ａ内の冷媒の熱により貯留ケース４３内の水を温めることができる。
【００８１】
（ｂ）加湿部材４１に供給される空気
上記図４、図５及び図８等に示すように、吸い込み空気の上流側から下流側に沿って、放熱器６３及び加湿部材４１が順に配置されている。つまり、放熱器６３を通過した空気が加湿部材４１を通過する。放熱器６３では熱が放出されるため、この放出された熱により放熱器６３から加湿部材４１に向かう空気が温められる。つまり、加湿部材４１には温められた空気が供給される。よって、加湿部材４１への加熱された水の供給と、加湿部材４１への温められた空気の供給と、の相乗効果により加湿部材４１からの水の放出量が多くなり加湿能力を向上することができる。
【００８２】
特に、上記図４、図５及び図８等では、さらに、吸い込み空気の上流側から下流側に沿って、蒸発器６１、放熱器６３及び加湿部材４１が順に配置されている。また、上述したように、放熱器６３の上部は蒸発器６１と重畳していない。この場合、加湿部材４１に供給される空気は次のような流れとなる。
【００８３】
図９は、蒸発器６１及び放熱器６３を介して加湿部材４１に供給される空気の流れを示す模式図である。蒸発器６１前面の空気Ａ１は、蒸発器６１の通過により冷却されて空気Ａ２となる。冷却された空気Ａ２は放熱器６３により温められて空気Ａ３となる。一方、蒸発器６１を通過しない空気Ｂ１は、放熱器６３により温められて空気Ｂ２となる。空気Ｂ２は蒸発器６１を通過せず冷却されないため、空気Ａ３よりも高温となる。よって、より高温の空気Ｂ２を加湿部材４１に供給することができるため、水の放出量が多くなり加湿能力を高めることができる。また、蒸発器６１により冷やされた空気Ａ２が放熱器６３を冷却するため、放熱器６３の放熱効率を向上させることができる。結果として、空気Ｂ２及び空気Ａ３の温度を高め、加湿部材４１に高温の空気を供給し加湿能力を向上することができる。
【００８４】
（４−２）第２の例
図１０は、加湿部材４１に供給する水を加熱する第２の例の模式図である。説明を分かり易くするために除加湿装置１００の一部の構成のみ示している。
【００８５】
圧縮機６７、放熱器６３及び蒸発器６１が冷媒配管１２０を介して接続されている。具体的には、圧縮機６７と放熱器６３とは吐出管１２０ａを介して接続されている。放熱器６３と蒸発器６１とは冷媒配管１２０ｂを介して接続されている。蒸発器６１、圧縮機アキュムレータ６９及び圧縮機６７は冷媒配管１２０ｃを介して接続されている。
【００８６】
蒸発器６１により凝縮された空気中の水は蓋部８３に集められ、開口８３ａを介して除湿タンク８１内に集められる。加湿部材４１の下部の貯留ケース４３は、加湿部材４１に吸湿されなかった水を受ける。貯留ケース４３内の水は、開口４３ａを介して除湿タンク８１内に集められる。
【００８７】
除湿タンク８１から加湿部材４１に向かって吸水管１３１が設けられている。吸水管１３１にはポンプ１３３が設けられている。ポンプ１３３の駆動によって除湿タンク８１内の水が吸い上げられる。吸い上げられた水は水熱交換部１４０を通過して温められ、温水貯め部１３５に貯められる。この温水貯め部１３５内の水が加湿部材４１に供給される。
【００８８】
上記の水熱交換部１４０は、吐出管１２０ａの少なくとも一部と吸水管１３１とを接触させることにより構成される。これにより、吐出管１２０ａ内の高温の冷媒と吸水管１３１内の水との間で熱交換が行われる。よって、吸水管１３１内の水を吐出管１２０ａ内の冷媒の熱で温めることができる。吐出管１２０ａの少なくとも一部と吸水管１３１とを接触させる方法としては、吐出管１２０ａの周りに吸水管１３１を巻き付ける方法が挙げられる。また、吐出管１２０ａの一部を例えばジグザグ状に蛇行させ、それに近接又は接触して沿うように吸水管１３１の一部もジグザグ状に蛇行させる方法も挙げられる。
【００８９】
なお、圧縮機６７近傍であるほど吐出管１２０ａ内の冷媒は高温である。よって、吐出管１２０ａと吸水管１３１とを接触させる位置は圧縮機６７近傍の部分であるのが好ましい。
【００９０】
上記第２の構成によれば、吸水管１３１内の水を圧縮機６７から放熱器６３に流れる冷媒の熱によって加熱する。この加熱された水が加湿部材４１に供給されるため、加湿能力を向上させることができる。また、加湿部材４１には、吸水管１３１から加湿に必要な量の水が供給される。つまり、加湿に必要な量の水を加熱して吸水管１３１から加湿部材４１に供給する。よって、必要分の水を効率よく加熱することができる。また、シロッコファン５０の駆動によって加湿部材４１には空気が通過する。空気が通過する際にも加湿部材４１に保持されている水が蒸発する。そのため、加熱された水の蒸発と、空気の通過による水の蒸発と、の相乗効果によって加湿部材４１での加湿能力がより向上する。
【００９１】
なお、上記の温水貯め部１３５は必須ではない。例えば、吸水管１３１内の温められた水を加湿部材４１に直接供給してもよい。
【００９２】
第２の例における加湿部材４１に供給される空気については、前述の図９での説明と同様であるので説明を省略する。
【００９３】
（５）特徴
上記実施形態例の特徴は以下のように記載することができる。
【００９４】
（５−１）
除加湿装置１００は、シロッコファン５０と、加湿部材４１と、除湿装置と、を備える。シロッコファン５０は、空気を吸い込み、空気を室内に吐き出す。加湿部材４１は、加湿運転時に供給された水を一時的に保持し、水を空気中に放出する。除湿装置は、冷凍サイクルユニット６０からなる。冷凍サイクルユニット６０の一部は加熱部となり、加湿部材４１に供給される水を加熱する。
【００９５】
加熱された水は加熱されていない水よりも蒸発温度に近くなる。よって、加熱した水を加湿部材４１に供給すると加湿部材４１から水が蒸発し易くなり、加湿能力を向上させることができる。
【００９６】
なお、シロッコファン５０の駆動によって加湿部材４１には空気が通過する。空気が通過する際にも加湿部材４１に保持されている水が蒸発する。そのため、加熱された水の蒸発と、空気の通過による水の蒸発と、の相乗効果によって加湿部材４１での加湿能力がより向上する。
【００９７】
（５−２）
冷凍サイクルユニット６０は、蒸発器６１、放熱器６３及び圧縮機６７を含む。蒸発器６１は、除湿運転時に吸い込み空気を露点以下に冷やす。圧縮機６７から放熱器６３に流れる冷媒の熱によって、加湿部材４１に供給する水を加熱する。
【００９８】
この冷凍サイクルの圧縮機６７では冷媒が圧縮され高温となる。圧縮機６７から吐出された高温の冷媒は圧縮機６７から放熱器６３に流れる。この高温の冷媒の熱を利用して加湿部材４１に供給する水を加熱することができる。そして、加熱された水を加湿部材４１に供給することで加湿能力を高めることができる。
【００９９】
（５−３）
除加湿装置１００は、加湿部材４１に水を供給する貯留ケース４３をさらに備える。圧縮機６７から放熱器６３に流れる冷媒の熱によって、貯留ケース４３内の水を加熱する。
【０１００】
貯留ケース４３には、加湿部材４１に供給される水が貯留されている。加湿部材４１は貯留ケース４３内の水に浸されており水を吸湿する。この貯留ケース４３内の水を圧縮機６７から放熱器６３に流れる冷媒の熱によって加熱する。よって、加湿部材４１は加熱された水を吸湿するため、加湿能力を向上させることができる。
【０１０１】
なお、貯留ケース４３内の水を温める方法としては、貯留ケース４３内の水に圧縮機６７から延びる吐出管１２０ａの少なくとも一部を浸す方法が挙げられる。吐出管１２０ａ内には高温の冷媒が流れており、貯留ケース４３に浸された吐出管１２０ａ内の冷媒の熱により貯留ケース４３内の水が温められる。また、貯留ケース４３の底面に吐出管１２０ａを這わせて、吐出管１２０ａ内の冷媒の熱により貯留ケース４３内の水を温めることもできる。
【０１０２】
（５−４）
除加湿装置１００は、除湿タンク８１と、吸水管１３１とをさらに備える。除湿タンク８１は水を貯水する。吸水管１３１は除湿タンク８１から加湿部材４１に向かって延びる。圧縮機６７から放熱器６３に流れる冷媒の熱によって吸水管１３１内の水を加熱する。
【０１０３】
このように除加湿装置１００には、蒸発器６１によって除湿された水等を集めて貯水する除湿タンク８１が設けられている。この除湿タンク８１から加湿部材４１に向かって吸水管１３１が延びている。この吸水管１３１内の水を圧縮機６７から放熱器６３に流れる冷媒の熱によって加熱する。この加熱された水が加湿部材４１に供給されるため、加湿能力を向上させることができる。また、加湿部材４１には、加湿に必要な量の水が供給される。つまり、加湿に必要な量の水を加熱して吸水管１３１から加湿部材４１に供給する。よって、必要分の水を効率よく加熱することができる。
【０１０４】
（５−５）
除加湿装置１００では、圧縮機６７から放熱器６３に延びる吐出管１２０ａの少なくとも一部が、吸水管１３１と接触している。
【０１０５】
吐出管１２０ａの少なくとも一部が吸水管１３１と接触することで、吐出管１２０ａ内の冷媒と吸水管１３１内の水との間で熱交換が行われる。よって、吸水管１３１内の水を吐出管１２０ａ内の冷媒の熱で温めることができる。
【０１０６】
吐出管１２０ａの少なくとも一部と吸水管１３１とを接触させる方法としては、吐出管１２０ａの周りに吸水管１３１を巻き付ける方法が挙げられる。また、吐出管１２０ａの一部を例えばジグザグ状に蛇行させ、それに近接又は接触して沿うように吸水管１３１の一部もジグザグ状に蛇行させる方法も挙げられる。
【０１０７】
なお、圧縮機６７近傍であるほど吐出管１２０ａ内の冷媒は高温である。よって、吐出管１２０ａと吸水管１３１とを接触させる位置は圧縮機６７近傍の部分であるのが好ましい。
【０１０８】
（５−６）
除加湿装置１００では、放熱器６３を通過した空気が加湿部材４１を通過するように、放熱器６３及び加湿部材４１が配置されている。
【０１０９】
吸い込み空気の上流側から下流側に沿って、放熱器６３及び加湿部材４１が順に配置されている。放熱器６３では熱が放出されるため、この放出された熱により放熱器６３から加湿部材４１に向かう空気が温められる。つまり、加湿部材４１には温められた空気が供給される。よって、加湿部材４１への加熱された水の供給と、加湿部材４１への温められた空気の供給と、の相乗効果により加湿部材４１からの水の放出量が多くなり加湿能力を向上することができる。
【０１１０】
なお、吸い込み空気の上流側から下流側に沿って、蒸発器６１、放熱器６３及び加湿部材４１が順に配置されていてもよい。この場合には、蒸発器６１により冷やされた空気が放熱器６３を冷却するため放熱器６３の放熱効率が向上する。
【０１１１】
（６）変形例
（６−１）変形例１Ａ
上記実施形態では、蒸発器６１に供給される冷媒の量は調整されていない。蒸発器６１に供給される冷媒の量を調整することで、蒸発器６１での除湿量を調整してもよい。このような構成について以下に説明する。図１１は、冷凍サイクルユニット６０の別の配管系統図である。図１１の冷凍サイクルユニット６０は、上記実施形態の図６と異なり、ホットガスバイパス弁１５０をさらに含む。その他の構成については図６と同様であるので説明を省略する。
【０１１２】
冷凍サイクルユニット６０は、図１１に示すように、蒸発器６１、放熱器６３、キャピラリチューブ６５、圧縮機６７、圧縮機アキュムレータ６９、ホットガスバイパス弁１５０、吐出管サーミスタ６２及び凍結防止サーミスタ６４を含む。ホットガスバイパス弁１５０は、圧縮機６７と蒸発器６１とを接続する経路に設けられている。ホットガスバイパス弁１５０は、圧縮機６７から蒸発器６１に向かう冷媒の量を調整するための弁である。除加湿装置１００の電装品箱９０内の制御部（図示せず）は、ホットガスバイパス弁１５０の開度を調節する。これにより、蒸発器６１の温度が調整され、蒸発器６１での除湿量が制御される。
【０１１３】
上記実施形態において、加湿運転時においては、加湿部材４１に供給される水が加熱されて温められる。これにより除加湿装置１００での加湿能力を向上させることができる。一方、蒸発器６１は除湿機能を有しており、加湿能力を低下させる可能性がある。そこで、制御部（図示せず）は、加湿運転時に、除湿機能を抑制する場合には、ホットガスバイパス弁１５０の開度を大きくする。これにより、圧縮機６７からの高温の冷媒が蒸発器６１に供給され蒸発器６１の温度が上昇する。よって、蒸発器６１での結露開始ポイントが後ろにずれ、蒸発器６１での除湿を抑制することができる。すなわち、結露開始が遅くなる。結果として、加湿能力の低下を抑制し、上記実施形態での除加湿装置１００での除湿能力をより向上することができる。
【０１１４】
（６−２）変形例１Ｂ
上記実施形態では、蒸発器６１に供給される冷媒の量は調整されていない。蒸発器６１に供給される冷媒の量を調整することで、蒸発器６１での除湿量を調整してもよい。このような構成の別の変形例について以下に説明する。
【０１１５】
図１２は、冷凍サイクルユニット６０の別の配管系統図である。図１２の冷凍サイクルユニット６０は、上記実施形態の図６と異なり、キャピラリチューブ６５の代わりに電動弁１６０を含む。その他の構成については図６と同様であるので説明を省略する。
【０１１６】
冷凍サイクルユニット６０は、図１２に示すように、蒸発器６１、放熱器６３、圧縮機６７、圧縮機アキュムレータ６９、電動弁１６０、吐出管サーミスタ６２及び凍結防止サーミスタ６４を含む。電動弁１６０は、蒸発器６１と放熱器６３との間に設けられている。電動弁１６０は、放熱器６３から蒸発器６１に向かう冷媒の量を調整するための弁である。除加湿装置１００の電装品箱９０内の制御部（図示せず）は、電動弁１６０の開度を調節する。これにより、蒸発器６１の温度が調整され、蒸発器６１での除湿量が制御される。
【０１１７】
上記実施形態において、加湿運転時においては、加湿部材４１に供給される水が加熱されて温められる。これにより除加湿装置１００での加湿能力を向上させることができる。一方、蒸発器６１は除湿機能を有しており、加湿能力を低下させる可能性がある。そこで、制御部（図示せず）は、加湿運転時に、蒸発器６１と放熱器６３との間に設けられた電動弁１６０の開度を調節する。これにより、放熱器６３からの温かい冷媒が蒸発器６１に供給され蒸発器６１の温度が上昇する。よって、蒸発器６１での結露開始ポイントが後ろにずれ、蒸発器６１での除湿を抑制することができる。すなわち、結露開始が遅くなる。結果として、加湿能力の低下を抑制し、上記実施形態での除加湿装置１００での除湿能力をより向上することができる。
【０１１８】
（６−３）変形例１Ｃ
上記実施形態では、図４、図５及び図８等に示すように、吸い込み空気の上流側から下流側に沿って、蒸発器６１、放熱器６３及び加湿部材４１が順に配置されている。しかし、蒸発器６１及び放熱器６３が上下方向に配置されていてもよい。このような構成について以下に説明する。図１３は、蒸発器６１、放熱器６３及び加湿部材４１の別の配置構成を説明する模式図である。上記実施形態の図８の構成とは異なり、蒸発器６１と放熱器６３とは上下に配置されている。具体的には、蒸発器６１は放熱器６３の下方に配置されており、放熱器６３は加湿部材４１の空気流れの上流側に配置されている。
【０１１９】
加湿部材４１は貯留ケース４３内に浸されている。貯留ケース４３内には、吐出管１２０ａの一部が浸されている。よって、吐出管１２０ａ内の高温の冷媒の熱によって、貯留ケース４３内の水が温められる。加湿部材４１は温められた水を吸湿する。
【０１２０】
ファンモータ５５の駆動によってシロッコファン５０が駆動すると、フィルタユニット２０を介して除加湿装置１００外部から空気が取り込まれる。取り込まれた空気は放熱器６３を通過して加湿部材４１に供給される。その後、除加湿装置１００上部の吹出口１１５から外部に放出される。
【０１２１】
よって、上記実施形態と同様に、加熱した水を加湿部材４１に供給することで、加湿能力を向上させることができる。また、放熱器６３を通過して加湿部材４１に供給される空気は、蒸発器６１を通過していない。つまり、蒸発器６１により冷却されていない高温の空気が加湿部材４１に供給される。よって、加湿部材４１に高温の空気を供給し加湿能力を向上することができる。
【０１２２】
本変形例では、貯留ケース４３内の水を温めて、その温めた水を加湿部材４１に供給している。しかし、上記実施形態の図１０の場合にも本変形例を適用可能である。つまり、図１０に示すように吸水管１３１内の水を温めて加湿部材４１に供給する場合にも、図１３に示すように蒸発器６１と放熱器６３とを上下に配置してもよい。
【０１２３】
（６−４）変形例１Ｄ
上記実施形態では、除湿タンク８１の水を圧縮機６７から延びる吐出管１２０ａにより温めて加湿部材４１に供給している。しかし、除湿タンク８１とは異なる別途の水タンク内の水を、吐出管１２０ａにより温めて加湿部材４１に供給してもよい。
【０１２４】
（６−５）変形例１Ｅ
上記実施形態及び変形例では、放熱器６３の平面積は蒸発器６１の平面積よりも大きく形成されている。しかし、圧縮機６７から放熱器６３に向かう冷媒の熱によって、加湿部材４１に供給する水を温めることができればよく、放熱器６３の平面積及び蒸発器６１の平面積は特に限定されない。ただし、上述の通り、放熱器６３の平面積が蒸発器６１の平面積よりも大きい場合には、放熱器６３のみを通過した高温の空気を加湿部材４１に供給することができ好ましい。
【０１２５】
＜第２実施形態＞
（１）本実施形態の構成
上記第１実施形態では、蒸発器６１、放熱器６３及び圧縮機６７等を含む冷凍サイクルユニット６０を除湿装置として用いている。そして、この除湿装置の圧縮機６７から延びる吐出管１２０ａ内の冷媒の熱を利用して加湿部材４１に供給する水を温めている。しかし、第２実施形態では、吸湿部材２０１、ヒータ２０３、熱交換器２０５等を含む除湿ユニット２００により除湿を行っている。そして、この除湿ユニット２００のヒータ２０３を用いて、加湿部材２１３に供給する水を温めている。
【０１２６】
以下に図１４を用いて第２実施形態例について説明する。図１４は第２実施形態に係る除加湿装置３００の構成を示す模式図である。
【０１２７】
除加湿装置３００は、除湿ユニット２００及び加湿ユニット２１０を含む。除湿ユニット２００は、吸湿部材２０１、ヒータ２０３、熱交換器２０５及び除湿タンク２０７を含む。吸湿部材２０１は多孔質のゼオライトなどからなり、吸湿性を有する。ヒータ２０３は吸湿部材２０１を温め、吸湿部材２０１から水分を放出させる。熱交換器２０５は吸湿部材２０１から放出された水分を冷却して凝縮させる。凝縮された水は除湿タンク２０７に集められる。よって、除湿運転時は、除加湿装置３００に取り込まれた空気は、吸湿部材２０１を通過することにより除湿される。そして、吸湿部材２０１内の水分がヒータ２０３により温められることで放出される。その後、熱交換器２０５により水分が凝縮されて除湿タンク２０７に貯まり、除湿が行われる。
【０１２８】
加湿ユニット２１０は、吸水管２１１、加湿部材２１３、貯留ケース２１５及びポンプ２１７を含む。吸水管２１１は、貯留ケース２１５内からヒータ２０３の近傍に延び、その後、加湿部材２１３上部に延びている。吸水管２１１は、ポンプ２１７により貯留ケース２１５内の水をくみ上げる。吸水管２１１内の水は、上部から加湿部材２１３に供給される。加湿運転時は、除湿ユニット２００のヒータ２０３が駆動している。ヒータ２０３の近傍に吸水管２１１の一部が配置されているため、ヒータ２０３によって吸水管２１１内の水が温められる。そのため、加湿部材２１３には加熱された水が供給される。加熱された水は加熱されていない水よりも蒸発温度に近くなる。よって、加熱した水を加湿部材２１３に供給すると加湿部材２１３から水が蒸発し易くなり、加湿能力を向上させることができる。
【０１２９】
（２）特徴
上記実施形態例の特徴は以下のように記載することができる。
【０１３０】
除加湿装置３００は、シロッコファン５０と、加湿部材２１３と、除湿ユニット２００と、を備える。シロッコファン５０は上記第１実施形態と同様の構成のファンである。シロッコファン５０は、空気を吸い込み、空気を室内に吐き出す。加湿部材２１３は、加湿運転時に供給された水を一時的に保持し、水を空気中に放出する。
【０１３１】
加熱された水は加熱されていない水よりも蒸発温度に近くなる。よって、除湿ユニット２００のヒータ２０３によって加熱した水を加湿部材２１３に供給すると加湿部材２１３から水が蒸発し易くなり、加湿能力を向上させることができる。
【産業上の利用可能性】
【０１３２】
本発明は、除湿及び加湿機能を有する種々の除加湿装置に適用可能である。
【符号の説明】
【０１３３】
１１        放電ユニット
１３        ストリーマ放電ユニット
２０        フィルタユニット
２１        プレフィルタ
２３        集塵フィルタ
２５        脱臭フィルタ
４０        加湿ユニット
４１        加湿部材
４１ｂ      気化フィルタ
４３        貯留ケース
５０        シロッコファン
６０        冷凍サイクルユニット
６１        蒸発器
６３        放熱器
６７        圧縮機
８１        除湿タンク
１００      除加湿装置
１２０ａ    吐出管
１３１      吸水管
１５０      ホットガスバイパス弁
１６０      電動弁
２００      除湿ユニット
２０１      吸湿部材
２０３      ヒータ
２１１      吸水管
２１３      加湿部材
２１５      貯留ケース
３００      除加湿装置
【先行技術文献】
【特許文献】
【０１３４】
【特許文献１】特開２００３−２９４２７７号公報
【図１】
2014231927.tif 000003
【図２】
2014231927.tif 000004
【図３】
2014231927.tif 000005
【図４】
2014231927.tif 000006
【図５】
2014231927.tif 000007
【図６】
2014231927.tif 000008
【図７】
2014231927.tif 000009
【図８】
2014231927.tif 000010
【図９】
2014231927.tif 000011
【図１０】
2014231927.tif 000012
【図１１】
2014231927.tif 000013
【図１２】
2014231927.tif 000014
【図１３】
2014231927.tif 000015
【図１４】
2014231927.tif 000016